(57)【要約】【課題】低コストで放熱性を向上することができ、しかもコンパクトな密閉型ランプ装置およびこれを用いたプロジェクターを提供すること。【解決手段】放電ランプバーナー１１と、前方が開口され、光軸が放電ランプバーナー１１の光軸に一致するように設けられ、放電ランプバーナー１１の放射光を開口側に反射する凹面反射鏡１２とを備えている。さらに、前面に開口部２５を有し、凹面反射鏡１２の開口が臨む中空ケース体２０と、中空ケース体２０の開口部２５を閉塞し、放射光を出射する前面板３０とを備え、中空ケース体２０は、凹面反射鏡１２の開口幅より幅広に形成され、放電ランプバーナー１１が占有する密閉容積Sを大きくしてなる。これにより、放電ランプバーナー１１の放熱性が向上する。【選択図】図１
2008076661.tif 000002
【特許請求の範囲】
【請求項１】
放電ランプバーナーと、
前方が開口され、光軸が前記放電ランプバーナーの光軸に一致するように設けられ、前記放電ランプバーナーの放射光を開口側に反射する凹面反射鏡と、
前面に開口部を有し、前記凹面反射鏡の開口が臨む中空ケース体と、
前記中空ケース体の開口部を閉塞し、前記放射光を出射する前面板とを備え、
前記中空ケース体は、前記凹面反射鏡の開口幅より幅広に形成され、前記放電ランプバーナーが占有する密閉容積を大きくした
ことを特徴とする密閉型ランプ装置。
【請求項２】
前記中空ケース体は、その内部の熱を外部に放熱する高熱伝導性材料からなる
ことを特徴とする請求項１に記載の密閉型ランプ装置。
【請求項３】
前記中空ケース体は、アルミニウム、銅、マグネシュウムなどの高熱伝導性材料より
なることを特徴とする請求項２に記載の密閉型ランプ装置。
【請求項４】
前記中空ケース体は、アルマイト処理または塗装、もしくは何らかの化成表面処理が施され、錆を防止すると同時に熱反射率を低く、熱輻射率を高くした
ことを特徴とする請求項３に記載の密閉型ランプ装置。
【請求項５】
前記中空ケース体の内部に、空気の鉛直対流を前記中空ケース体の内壁全域に渡って誘導させる整流板が設けられた
ことを特徴とする請求項１乃至４のいずれか１項に記載の密閉型ランプ装置。
【請求項６】
前記整流板は、前記中空ケース体の左右両側壁の近傍に間隔を置いて延設された一対の帯板からなる
ことを特徴とする請求項５に記載の密閉型ランプ装置。
【請求項７】
前記一対の帯板の上部間に、前記帯板より幅狭の中間板が架設された
ことを特徴とする請求項６に記載の密閉型ランプ装置。
【請求項８】
放電ランプバーナーと、前方が開口され、光軸が前記放電ランプバーナーの光軸に一致するように設けられ、前記放電ランプバーナーの放射光を開口側に反射する凹面反射鏡と、前面に開口部を有し、前記凹面反射鏡の開口が臨む中空ケース体と、前記中空ケース体の開口部を閉塞し、前記放射光を出射する前面板と、前記中空ケース体の内部に設けられ、空気の鉛直対流を前記中空ケース体の内壁全域に渡って誘導させる整流板とを備え、前記中空ケース体は、前記凹面反射鏡の開口幅より幅広に形成され、前記放電ランプバーナーが占有する密閉容積を大きくした密閉型ランプ装置と、
前記放電ランプバーナーを冷却するランプ冷却装置と、
投射レンズおよび反射ミラーを有する光学系ユニットと、
を含む
ことを特徴とするプロジェクター。
【発明の詳細な説明】
【技術分野】
【０００１】
本発明は、高圧放電ランプの一種であるメタルハライドランプなどの密閉型ランプ装置およびこれを用いたプロジェクターに関する。
【背景技術】
【０００２】
従来より、プロジェクターの照明光源としては、超高圧水銀ランプあるいはメタルハライドランプなどの放電ランプバーナーに凹面反射鏡を組合せた光源ユニットが使用されている。
近年、前記凹面反射鏡の前方の光出射側開口に透光性材料からなる前面板が備え付けられた、いわゆる密閉型のランプ装置が一般に利用されている。
【０００３】
放電ランプバーナーは、光だけでなく多量の熱が放出されるため、長時間点灯使用していると、放電ランプバーナーやその近傍が過熱して、放電ランプバーナーの破裂や失透、凹面反射鏡内面の割れなどを生じることがある。
密閉型ランプ装置は、内蔵された放電ランプバーナーが万が一破裂したときに、その破裂音の漏洩や破片などが外部周辺に飛散するのが防止される他、外気に含まれる塵や埃などの侵入が回避され、輝度の低下が防止される利点がある。
【０００４】
しかしながら、放電ランプバーナーの発光効率や寿命の観点から、温度を所定の温度範囲内に収まるようにすることが必要とされるため、放電ランプバーナーに、シロッコファンや軸流ファンなどの送風ファンにより風を吹き当て空冷している。なお、このような従来技術に類似のものが、以下に示す特許文献１に開示されている。
【特許文献１】特開２００５−１５４１４９号公報
【発明の開示】
【発明が解決しようとする課題】
【０００５】
ところで、明るい室内で見る場合や、スクリーンが大型化する場合、また視野角改善の為に正面以外にも光を分散させる場合、放電ランプバーナーの輝度の向上、即ち出力の増大化がなされている。このような映像の明るさに対する要求から、放電ランプバーナーがより高輝度化されることで、排熱すべき熱量も増加の一途を辿っている。
【０００６】
そこで、放電ランプバーナーの排熱を促進するため、送風ファンの回転数を上げたり、より出力の大きな送風ファンを用いることが考えられるが、その結果、許容できない送風音を伴う可能性があり、プロジェクターとしての商品価値を大きく損なう恐れがある。
また、密閉型ランプ装置の外部に、熱交換器を有する循環管路を形成し、放熱性能を向上させたものがあるが、部品点数の増大やプロジェクターの大型化を招き、コスト高になるという事情がある。
【０００７】
本発明の技術的課題は、前記のような事情に鑑みてなされたものであり、その目的は、低コストで放熱性（排熱性）を向上することができ、しかもコンパクトな密閉型ランプ装置およびこれを用いたプロジェクターを提供することにある。
【課題を解決するための手段】
【０００８】
前記目的を達成するため、本発明の密閉型ランプ装置は、放電ランプバーナーと、前方が開口され、光軸が前記放電ランプバーナーの光軸に一致するように設けられ、前記放電ランプバーナーの放射光を開口側に反射する凹面反射鏡とを備えている。さらに、前面に開口部を有し、前記凹面反射鏡の開口が臨む中空ケース体と、前記中空ケース体の開口部を閉塞し、前記放射光を出射する前面板とを備えている。そして、前記中空ケース体は、前記凹面反射鏡の開口幅より幅広に形成され、前記放電ランプバーナーが占有する密閉容積を大きくした。
【０００９】
このような構成の密閉型ランプ装置では、凹面反射鏡の開口幅より幅広の中空ケース体が設けられ、放電ランプバーナーが占有する密閉容積を大きくしたことで、放熱性が向上し、低コストで温度低減効果が得られる。
【００１０】
また、本発明のプロジェクターは、密閉型ランプ装置を有し、この密閉型ランプ装置は、放電ランプバーナーと、前方が開口され、光軸が前記放電ランプバーナーの光軸に一致するように設けられ、前記放電ランプバーナーの放射光を開口側に反射する凹面反射鏡とを備えている。また、前面に開口部を有し、前記凹面反射鏡の開口が臨む中空ケース体と、前記中空ケース体の開口部を閉塞し、前記放射光を出射する前面板と、前記中空ケース体の内部に設けられ、空気の鉛直対流を前記中空ケース体の内壁全域に渡って誘導させる整流板とを備えている。前記中空ケース体は、前記凹面反射鏡の開口幅より幅広に形成され、前記放電ランプバーナーが占有する密閉容積を大きくしている。さらに、前記放電ランプバーナーを冷却するランプ冷却装置と、投射レンズや反射ミラーを有する光学ユニットとを有して構成されている。
【００１１】
このプロジェクターは、放電ランプバーナーの占有密閉容積が大きくなり、しかも整流板によって鉛直対流が中空ケース体の全域に対流するようになるので、放熱性がより向上する。このようなプロジェクターは、低コスト、かつコンパクトな構造で実現される。
【発明の効果】
【００１２】
本発明によれば、密閉型ランプ装置の放熱性を向上することができる。これにより、密閉型ランプ装置の温度が、所定温度範囲内に収められ、発光効率や寿命を向上することができる。さらに、放熱性の向上に伴い、送風ファンの風量を少なく設定することが可能であり、これによって、送風ファンから発生する騒音を大幅に低減させることができ、消費電力の節約を行うことができる。
また、密閉型ランプ装置の放熱性の向上は、コンパクトかつ簡単な構造で低コストに実現され、プロジェクターの大型化やコスト高を回避することができる。
【発明を実施するための最良の形態】
【００１３】
以下、本発明の実施の形態を図面に基づいて詳細に説明する。
図１は、本発明の密閉型ランプ装置の一実施の形態を示す断面図であり、図２は、図１に示す密閉型ランプ装置の分解斜視図である。
【００１４】
図１において、密閉型ランプ装置１００は、照明光源となる放電ランプバーナー１１と、椀状に形成され、放電ランプバーナー１１の放射光を反射する凹面反射鏡１２とを有するランプユニット１０と、凹面反射鏡１２の前方に装着され、前面に開口部を有する中空ケース体２０と、この中空ケース体２０の開口部を閉塞し、放電ランプバーナー１１の放射光を出射する、レンズまたはガラスや樹脂などの透明材料よりなる前面板３０とから概略構成されている。
【００１５】
前記放電ランプバーナー１１は、直流点灯式で、反射体である凹面反射鏡１２内に同軸上に収容されて水平に保持されている。つまり、放電ランプバーナー１１の支持筒部１１aが、凹面反射鏡１２の底部中間部に水平方向内方から同軸上に挿通され、電気絶縁セメントにより固着され、外部に突出している。
【００１６】
また、放電ランプバーナー１１の先端部には、アウターリード１１ｂが軸方向に挿入され、このアウターリード１１ｂの先端にリード線１１ｃが接続され、このリード線１１ｃは、凹面反射鏡１２を貫通してその背面側に導出され、点灯回路（図示略す）に接続されている。
【００１７】
凹面反射鏡１２は、前方が開口され、その中心軸、つまり光軸が放電ランプバーナー１１の光軸に一致するように設けられ、放電ランプバーナー１１の放射光が凹面反射鏡１２の開口側に反射されるようになっている。この凹面反射鏡１２は、例えば石英ガラスまたは金属により形成され、その内面に、反射特性に優れたＴｉＯ2 −ＳｉＯ2 などの蒸着膜からなる反射面を有している。
【００１８】
中空ケース体２０は、角形筒状の筒体２４と中間部材２１とから構成され、外観箱型に形成され、凹面反射鏡１２の開口側に同軸上に装着されている。このような中空ケース体２０は、凹面反射鏡１２の開口幅より幅広に形成されており、筒体２４は、その前部中央部に、前面板３０が装着される円形の開口部２５を有し、後部開口には、角形の中間部材２１が固定されている。
【００１９】
中間部材２１の中央部には、凹面反射鏡１２の開口と略整合する略円形の穴部２２が形成され、後面には、穴部２２の周りを囲繞するように角形の縁部２３が、凹面反射鏡１２側に突出形成されている。そして、凹面反射鏡１２の開口と穴部２２とが同軸上に合わせられ、凹面反射鏡１２が、縁部２３内に固定されることで、凹面反射鏡１２と中空ケース体２０とによって、放電ランプバーナー１１を内包する密閉空間Sが形成されている。
【００２０】
また、中空ケース体２０は、その内部の熱を外部に効率よく放熱するように、高熱伝導性材料、例えばアルミニウム、銅、マグネシウムからなる。さらに、中空ケース体２０の内面には、アルマイト処理または塗装、もしくは何らかの化成表面処理が施され、錆を防止すると同時に熱反射率を低くし、熱輻射率を高くし、放熱効果を高めている。
【００２１】
筒体２４内には、内部空気の鉛直対流を誘導させる整流板２６が形成されている。この整流板２６は、筒体２４の左右両側壁２９の近傍に、間隔を置いて略鉛直方向に延設された一対の帯板２６aからなっている。これら一対の帯板２６aの上部間には、帯板２６aより幅狭の中間板２７が架設され、この中間板２７の上方の筒体２４の上壁に、空気の上昇流を左右方向に誘導する分流板２８が略逆三角形状に形成されている。
【００２２】
中空ケース体２０内の空気は、放熱ランプバーナー１１が点灯し、その輻射熱によって加熱されると、図３に示すように、鉛直対流A１、A２が発生する。鉛直対流A１は、幅狭の中間板２７の側端部を通過して、中空ケース体２０の上壁に衝突し、帯板２６aと側壁２９との間に誘導される。
【００２３】
また、鉛直対流A２のように、中空ケース体２０の上壁に衝突し、上昇位置より直下に落下しようとする空気流は、中間板２８によってその軌道が遮られ、帯板２６aと側壁２９との間に誘導される。
【００２４】
このように、鉛直対流A１、A２は、整流板２６によって中空ケース体２０の両側壁２９全域に渡って対流されるようになることから、中空ケース体２０の内壁のより広い面積に接触して対流するので、中空ケース体２０の内壁との間で、効率よく熱交換が行われる。即ち、密閉空間S内の空気熱の大気への放熱効果が高まり、ランプユニット１０の冷却が促進される。
【００２５】
図４は、本実施例の密閉型ランプ装置１００において、中空ケース体２０の装着により放電ランプバーナー１１が臨む密閉空間Sを拡張し、放熱ランプバーナー１１の放熱性を確認する実験を行う際の測定箇所を示すもので、図中、Tｃfは、放熱ランプバーナー１１のフロント部、Tｃrは、放熱ランプバーナー１１のリヤ部、Tｃbは、放熱ランプバーナー１１の中間部を示し、これらTｃf、TｃrおよびTｃbの温度変化を熱電対によって個別に測定した。実験の結果、図５に示すように、中空ケース体２０の容積の向上に伴って、温度低減効果が、Tｃf、TｃrおよびTｃbの各部位において向上していることが分かった。
【００２６】
これは、中空ケース体２０が整流板２６を有しない場合の実験結果であり、整流板２６を有する密閉型ランプ装置１００であれば、中空ケース体２０の熱交換率の向上によって、温度低減効果をより向上させることができる。
【００２７】
さらに、このような中空ケース体２０は、高熱伝導性材料からなり、内面には、黒色のアルマイト処理または塗装が施されているため、熱反射率が低く、熱輻射率が高くなり、放熱効果の向上が認められ、温度低減効果がより一層向上することになる。
【００２８】
図６に、このような密閉型ランプ装置を備えたプロジェクター２００の構成を示す、図６において、プロジェクター２００は、外装キャビネット２０４を有し、この外装キャビネット２０４内に、光源の密閉型ランプ装置１００と、光学系ユニット２０２とが組み込まれ、密閉型ランプ装置１００から出射された光を、光学系ユニット２０２のライトバルブ２０３に照射することで得られた映像を、投射レンズ２０１によってスクリーンに投射して表示するものである。
【００２９】
また、外装キャビネット２０４内には、密閉型ランプ装置１００および光学系ユニット２０２を冷却するシロッコファン２０６と、密閉型ランプ装置１００および光学系ユニット２０２の熱を排出する軸流ファン２０５と、密閉型ランプ装置１００などに電力を供給する電源回路ユニット２３０と、信号処理回路ユニット２０８および操作部ユニット２０９とが組み込まれている。
【００３０】
光学系ユニット２０２は、フライアイレンズ２１１、偏光変換素子２１２、コンデンサーレンズ２１３、ダイクロイックミラー２１４、全反射ミラー２１５、リレーレンズ２１６、フィールドレンズ２１７、表示素子である液晶パネル２１８を備えた３色のライトバルブ２０３、プリズム２１９および投射レンズ２０１を有して構成されている。
【００３１】
この光学系ユニット２０２では、密閉型ランプ装置１００で発光された偏りのない白色光が、先ずフライアイレンズ２１１から偏光変換素子２１２を透過して直線偏光光に変換されるとともに、コンデンサーレンズ２１３で集光されて輝度むらのない均一の白色光が形成され、その輝度むらのない白色光がダイクロイックミラー２１４を経由して３つのライトバルブ２０３に入射される。
【００３２】
その際、色分離手段であるダイクロイックミラー２１４によって、白色光が赤色光・緑色光・青色光に分離され、赤色光はリレーレンズ２１６、全反射ミラー２１５、リレーレンズ２１６、全反射ミラー２１５を介してフィールドレンズ２１７で集光されて、赤色用のライトバルブ２０３に入射する。
【００３３】
また、緑色光は、ダイクロイックミラー２１４からフィールドレンズ２１７で集光されて緑色用のライトバルブ２０３に入射し、さらに青色光は、ダイクロイックミラー２１４から全反射ミラー２１５を介してフィールドレンズ２１７で集光されて青色用のライトバルブ２０３に入射する。
【００３４】
３つのライトバルブ２０３は、液晶パネル２１８の入射側と出射側に偏光板２２１を有して構成され、入射側の偏光板２２１で各色光の偏光方向が揃えられて液晶パネル２１８に入射される。液晶パネル２１８は、各色に対応して印加された映像信号により各色光を変調し、この３つの変調光が出射側の偏光板２２１を透過して偏光されて映像光となり、プリズム２１９に入射される。そして、プリズム２１９では各色の映像光が合成され、この合成された映像光が投射レンズ２０１によってスクリーンに投射されてフルカラーの映像が映し出されるものである。
【００３５】
シロッコファン２０６は、ダクト２０７を介して密閉型ランプ装置１００、光学系ユニット２０２および電源回路ユニット２３０に送風して冷却を行なう構造となっている。
【００３６】
また、投射レンズ２０１を挟んでその左右両側にシロッコファン２０６が配置されている。これらシロッコファン２０６は、その吸気口２２３、２２４を投射レンズ２０１側に向けた状態で配置され、薄型のダクト２２５、２２６を介して光学系ユニット２０２のライトバルブ２０３付近に送風して冷却を行なうようになっている。
【００３７】
このように、本実施の形態では、放電ランプバーナー１１が占有する密閉容積Sを大きくしたので、密閉型ランプ装置１００の放熱性が向上され、これにより、密閉型ランプ装置１００の温度が、所定温度範囲内に収めることが可能となり、放電ランプバーナー１１の発光効率や寿命を向上することができる。
【００３８】
さらに、放熱性が向上したので、シロッコファン２０６や軸流ファン２０５の送風ファンは、従来よりも少ない風量で効果的な冷却を行なうことができるようになる。従って、送風ファンを、低い回転速度で運転することが可能になり、これによって、送風ファンから発生する騒音を大幅に低減させることができ、消費電力の節約になる。
【００３９】
また、このような放熱性の向上は、ランプユニット１０に中空ケース体２０を取り付けるだけのコンパクトかつ簡単な構造で低コストに実現され、プロジェクター２００の大型化やコスト高が避けられる。
【００４０】
以上、本発明の実施の形態について詳述したが、本発明は、前記実施の形態記載に限定されるものではなく、本発明の特許請求の範囲に記載されている発明の精神を逸脱しない範囲で、種々の変更ができるものである。
【００４１】
例えば、本実施の形態では、中空ケース体２０は、凹面反射鏡１２の開口幅より幅広に形成されたが、中空ケース体２０を凹面反射鏡１２の光軸方向に拡張し、放電ランプバーナー１１の密閉空間Sを拡大させてもよい。
また、中空ケース体２０は、角形に形成されたが、円形状などプロジェクター２００への収まりを考慮した適宜の形状に形成してもよい。
【図面の簡単な説明】
【００４２】
【図１】本発明の一実施の形態に係る密閉型ランプ装置の縦断面図である。
【図２】図１に示す密閉型ランプ装置の分解斜視図である。
【図３】図１に示す中空ケース体内の空気の対流を示す斜視図である。
【図４】放電ランプバーナーの温度測定部位の説明図である。
【図５】（ａ）、（ｂ）および（ｃ）は、中空ケース体の容積と、放電ランプバーナーの温度測定部位別の温度低減効果との特性図である。
【図６】図１に示す密閉型ランプ装置を光源として用いたプロジェクターの構成図である。
【符号の説明】
【００４３】
１０…ランプユニット、１１…放電ランプバーナー、１２…凹面反射鏡、２０…中空ケース体、２１…中間部材、２２…穴部、２５…開口部、２３…縁部、２４…筒体、２６…整流板、２６a…帯板、２７…中間板、２８…分流板、３０…前面板、１００…密閉型ランプ装置、２００…プロジェクター、A１、A２…鉛直対流、S…密閉空間
【図１】
2008076661.tif 000003
【図２】
2008076661.tif 000004
【図３】
2008076661.tif 000005
【図４】
2008076661.tif 000006
【図５】
2008076661.tif 000007
【図６】
2008076661.tif 000008
【手続補正書】
【提出日】平成19年9月28日(2007.9.28)
【手続補正１】
【補正対象書類名】明細書
【補正対象項目名】０００４
【補正方法】変更
【補正の内容】
【０００４】
しかしながら、放電ランプバーナーの発光効率や寿命の観点から、温度を所定の温度範囲内に収まるようにすることが必要とされるため、放電ランプバーナーに、シロッコファンや軸流ファンなどの送風ファンにより風を吹き当て空冷している。なお、このような従来技術に類似のものが、以下に示す特許文献１に開示されている。
【特許文献１】特開２００１−１８３７５４６号公報